(57)【要約】【課題】照明ユニットと照明カバーとの距離をより一定に保つことができるショーケース用照明装置を提供することである。【解決手段】実施形態のショーケース用照明装置は、照明ユニットと、照明カバーと、係止部材と、を持つ。照明ユニットは、ショーケースの左右方向に沿って配置される照明具を含む。照明カバーは、前記ショーケースの少なくとも前方において前記照明ユニットを覆う。係止部材は、一体に形成され、前記照明ユニット及び前記照明カバーを係止する。【選択図】図３
2017225577.tif 000002
【特許請求の範囲】
【請求項１】
ショーケースの左右方向に沿って配置される照明具を含む照明ユニットと、
前記ショーケースの少なくとも前方において前記照明ユニットを覆う照明カバーと、
一体に形成され、前記照明ユニット及び前記照明カバーを係止する係止部材と、
を備えるショーケース用照明装置。
【請求項２】
前記照明ユニットは、前記左右方向に垂直な断面が非円形状となる非円形部を有し、
前記照明具は、前記非円形部に対して、前記左右方向に平行な軸線周りの周方向における相対位置が固定され、
前記係止部材は、前記非円形部において前記照明ユニットを係止する請求項１に記載のショーケース用照明装置。
【請求項３】
前記係止部材には、係止部が形成され、
前記照明カバーの下方の端部に設けられた被係止部が前記係止部に係止されることで、前記係止部材が前記照明カバーを係止する請求項１又は２に記載のショーケース用照明装置。
【請求項４】
前記係止部材は、
上下方向に延びる第一腕部と、
前記第一腕部の下方の端部から前方に延びる第二腕部と、
を有し、
前記第一腕部と前記第二腕部との接続部に形成された凹部内に前記非円形部が配置されることで、前記係止部材が前記照明ユニットの前記非円形部を係止する請求項２に記載のショーケース用照明装置。
【請求項５】
請求項１から４のいずれか一項に記載のショーケース用照明装置を備えるショーケース。
【発明の詳細な説明】
【技術分野】
【０００１】
本発明の実施形態は、ショーケース用照明装置及びショーケースに関する。
【背景技術】
【０００２】
従来、ショーケースには、ショーケース内の陳列棚等を照らすために照明ユニットが取付けられている。照明ユニットは、蛍光灯やＬＥＤ（Light Emitting Diode）である照明具を有する。ショーケースには、陳列棚上の商品を購入しようとした顧客が照明ユニットに触れるのを防止するために、照明ユニットを覆う照明カバーが設けられる場合がある。この照明カバーは、照明具が発する照明光が透過するように、透明な材料で形成される。
【０００３】
ショーケースでは、ショーケースの本体に対して照明ユニットや照明カバーを固定部材で保持している。照明ユニットの照明具は、照明光を発する面を前述の固定部材で保持される場合がある。この場合には、照明具が発する照明光により固定部材の影が照明カバー上に形成されないように、照明ユニットと照明カバーとの距離が決められている。
【０００４】
しかしながら、ショーケースの梱包時等に照明カバーに外力が作用すると、照明ユニットと照明カバーとの相対的な位置が変化する。この場合、照明具から発する照明光により固定部材の影が照明カバー上に形成される恐れがある。
【先行技術文献】
【特許文献】
【０００５】
【特許文献１】特開２０００−２１０１６５号公報
【発明の概要】
【発明が解決しようとする課題】
【０００６】
本発明が解決しようとする課題は、照明ユニットと照明カバーとの距離をより一定に保つことができるショーケース用照明装置、及びこの照明装置を備えるショーケースを提供することである。
【課題を解決するための手段】
【０００７】
実施形態のショーケース用照明装置は、照明ユニットと、照明カバーと、係止部材と、を持つ。照明ユニットは、ショーケースの左右方向に沿って配置される照明具を含む。照明カバーは、前記ショーケースの少なくとも前方において前記照明ユニットを覆う。係止部材は、一体に形成され、前記照明ユニット及び前記照明カバーを係止する。
【図面の簡単な説明】
【０００８】
【図１】一実施形態のショーケースを示す斜視図。
【図２】同ショーケースの一部を破断した側面図。
【図３】同ショーケースの要部の側面の断面図。
【図４】同ショーケースから照明カバーを取り外した状態をある方向から見た要部の斜視図。
【図５】同ショーケースから照明カバーを取り外した状態を他の方向から見た要部の斜視図。
【発明を実施するための形態】
【０００９】
以下、実施形態のショーケース用照明装置及びショーケースを、図面を参照して説明する。
【００１０】
図１及び図２に示すように、本実施形態のショーケース１は、例えばスーパーマーケット等の店舗Ｓ内に据え付けて用いられる縦型のショーケースである。
ショーケース１は、ショーケース１の左右方向Ｘに延びるように形成された一対の本体組立体１１と、据え付け現場において各本体組立体１１の左右方向Ｘの端部に取付けられた断熱性の側板７６と、を備えている。
この例では、ショーケース１は一対の本体組立体１１を備えているが、ショーケースが備える本体組立体１１の数は特に限定されず、１つでもよいし、３つ以上でもよい。
【００１１】
図２に示すように、各本体組立体１１は、断熱壁１２と、断熱壁１２内に設けられた後板１３とを有している。
断熱壁１２は、左右方向Ｘに直交する断面が、前方Ｙ１が開口するＣ字形に形成されている。すなわち、断熱壁１２は、上下方向Ｚに延びる後部断熱壁１２ａと、後部断熱壁１２ａの上端部から前方Ｙ１に延びる上部断熱壁１２ｂと、後部断熱壁１２ａの下端部（下方Ｚ２の端部）から前方Ｙ１に延びる下部断熱壁１２ｃと、を有している。断熱壁１２ａ、１２ｂ、１２ｃにより形成される空間は、前方Ｙ１に開口する。
後板１３は、ほぼ上下方向Ｚに延びている。より詳しくは、後板１３は、上方Ｚ１に向かうにしたがって後方Ｙ２に突出するように傾いている。後板１３には、図示しない吹出し口が形成されている。
後板１３と後部断熱壁１２ａとの間には、後部ダクトＤ１が形成される。
【００１２】
後板１３の上端部には、前方Ｙ１に延びる天板１５が取付けられている。天板１５と上部断熱壁１２ｂとの間には、上部ダクトＤ２が形成される。上部ダクトＤ２は、後部ダクトＤ１に連通する。天板１５よりも前方Ｙ１には、ハニカム状の整流部材１６が設けられている。
【００１３】
図３に示すように、上部断熱壁１２ｂよりも前方Ｙ１には、支持部材２１が配置されている。支持部材２１は、上部断熱壁１２ｂに取付けられている。支持部材２１は、上部ダクトＤ２の前方Ｙ１を封止しているとともに、整流部材１６を保持している。
支持部材２１の前方Ｙ１の端部には、支持板２２が設けられている。支持板２２は、上方Ｚ１に向かうにしたがって前方Ｙ１に突出するように傾いた板本体２３と、板本体２３の上端部から前方Ｙ１に延びる第一折れ片２４と、板本体２３の下端部から後方Ｙ２に延びる第二折れ片２５と、を有している。支持板２２は、金属製の板材を曲げ加工すること等により形成されている。支持板２２は、断熱壁１２の左右方向Ｘの全長にわたり延びている。
支持板２２は、支持部材２１に図示しないビスや溶接等で取付けられている。
【００１４】
図３及び図４に示すように、支持板２２には本実施形態のショーケース用照明装置２８（以下、照明装置２８と略称する）が取付けられている。
照明装置２８は、左右方向Ｘに沿って配置されるＬＥＤ（照明具）３０を含む照明ユニット２９と、前方Ｙ１及び上方Ｚ１において照明ユニット２９を覆う照明カバー３１と、照明ユニット２９及び照明カバー３１を係止する係止部材３２と、を備えている。
ここで言う照明ユニット２９は、ＬＥＤ３０、及び後述するソケット３５等のように、内部に電流を流して照明光を発するのに寄与する構成のみからなる。例えば、単にＬＥＤ３０を機械的に支持するだけの部材は照明ユニット２９に含まれない。
【００１５】
ＬＥＤ３０は、一般的な直管状の蛍光灯のような外形に形成された、いわゆるＬＥＤ蛍光灯である。ＬＥＤ３０の各端部には、例えば一般的な蛍光灯のように、２本の棒状の電極３０ａが設けられている（図３参照）。
ＬＥＤ３０が発する照明光には、ＬＥＤ３０の周方向に指向性がある。
【００１６】
照明ユニット２９は、前述のＬＥＤ３０と、ＬＥＤ３０の各端部に着脱可能に取付けられるソケット３５と、を有する。ソケット３５は、有底円筒状に形成された支持部３６と、支持部３６の底部に固定された係合部（非円形部）３７と、を有する。
支持部３６の筒孔内における底面には、ＬＥＤ３０の電極３０ａが係合する挿入穴３６ａが一対形成されている。挿入穴３６ａ内に電極３０ａを挿入することで、ソケット３５とＬＥＤ３０とが電気的に接続されている。このとき、ＬＥＤ３０は、ソケット３５（係合部３７）に対して、左右方向Ｘに平行な中心軸（軸線）Ｃ周りの周方向における相対位置が固定される。
【００１７】
係合部３７は、左右方向Ｘに垂直な断面が非円形状である。係合部３７は、例えば左右方向Ｘに見たときにＤ字形の柱状である。係合部３７の側面には、平坦な当接面３７ａが形成されている。係合部３７の側面には、一対のリード線３８の端部が接続されている。
なお、係合部３７を左右方向Ｘに見たときの形状はＤ字形に限られず、非円形状であれば特に限定されない。例えば、この形状はだ円形状、多角形状等でもよい。
【００１８】
照明カバー３１は、図３に示すように、上下方向Ｚ及び左右方向Ｘに延びる板状に形成された第一カバー片４１と、第一カバー片４１の上端部から後方Ｙ２に延びる第二カバー片４２と、を有している。第一カバー片４１の下端部には、上方Ｚ１に向かって突出する凸部（被係止部）４３が形成されている。凸部４３は、第一カバー片４１よりも後方Ｙ２に配置されている。第一カバー片４１、第二カバー片４２、及び凸部４３は、透明な樹脂等により形成されている。
照明カバー３１は、第二カバー片４２が支持板２２の第一折れ片２４にネジ部材４４で固定されることで、支持板２２に取付けられている。照明カバー３１が係止部材３２に係止される構成については、後述する。
【００１９】
図３及び図４に示すように、係止部材３２は、上下方向Ｚに延びる第一腕部４７と、第一腕部４７の下端部から前方Ｙ１に延びる第二腕部４８と、を有している。第一腕部４７と第二腕部４８との接続部には、凹部４９が形成されている。凹部４９は、第一腕部４７と第二腕部４８とが略直角をなす側から凹んでいる。凹部４９の縁部には、平坦な当接面４９ａが形成されている。
図５に示すように、第一腕部４７には、第一腕部４７の後端部から左右方向Ｘに延びる支持片５１が設けられている。第二腕部４８の下方Ｚ２の縁部には、第二腕部４８の下端から上方Ｚ１に向かって所定の範囲で切欠き（係止部）４８ａが形成されている。切欠き４８ａは、第二腕部４８の前方Ｙ１の端部に下方Ｚ２が開口するように形成されている。
【００２０】
係止部材３２の腕部４７、４８、及び支持片５１は、鉄板等を折り曲げることで一体に形成されている。ここで言う一体に形成されているとは、係止部材３２が１つの部材を折り曲げたり溶接したりして形成されていることだけでなく、係止部材３２が複数の部材を溶接等により強固に固定して構成されていることも意味する。第一腕部４７及び第二腕部４８は、同一平面上に形成されている。このため、腕部４７、４８を全体として左右方向Ｘにある程度撓ませることができる。
係止部材３２は、支持片５１が支持板２２の板本体２３にネジ部材４４で固定されることで、支持板２２に取付けられている。支持板２２には、係止部材３２が一対取付けられている。各係止部材３２は、支持板２２の左右方向Ｘの端部にそれぞれ取付けられている。
【００２１】
図３及び図４に示すように、この係止部材３２の凹部４９内には、ソケット３５の係合部３７が配置されている。凹部４９の当接面４９ａに係合部３７の当接面３７ａが接触すること等により、ソケット３５は、係止部材３２に対して、中心軸Ｃ周りの周方向における相対位置が固定される。こうして、係止部材３２は、照明ユニット２９の係合部３７を係止する。
照明ユニット２９が係合部３７を有し、ＬＥＤ３０は係合部３７に対して周方向における相対位置が固定されている。さらに係止部材３２は係合部３７において照明ユニット２９を係止する。このため、係止部材３２に対するＬＥＤ３０の中心軸Ｃ周りの向きが固定される。ＬＥＤ３０が発する照明光には指向性があるため、この照明光が複数の陳列棚６２等の所望の場所を照射するように、ＬＥＤ３０の中心軸Ｃ周りの向きが決められている。
係止部材３２の凹部４９を通して照明ユニット２９のリード線３８等を引き回しやすい。
【００２２】
一方で、図３に示すように照明カバー３１の凸部４３が係止部材３２の切欠き４８ａに係止されることで、係止部材３２が照明カバー３１を係止する。こうして、係止部材３２により、照明カバー３１の下端部の位置が係止される。
このように、照明カバー３１は、上部が支持板２２に取付けられ、下部が係止部材３２に係止されている。
【００２３】
図３及び図５に示すように、支持板２２における一対の係止部材３２の間には、ＬＥＤ３０を支持する止め具５４が一対取付けられている。各止め具５４は、左右方向Ｘに見たときにＣ字形に形成された支持部５５と、支持部５５から後方Ｙ２に延びる連結部材５６と、を有している。支持部５５は、Ｃ字形の開口を広げたり狭めたりするように変形させることができる。
止め具５４は、連結部材５６が支持板２２の板本体２３に図示しないネジ部材で固定されることで、支持板２２に取付けられている。支持部５５内には、ＬＥＤ３０が通されて保持されている。止め具５４は、ＬＥＤ３０における照明光を発する面を保持している。
係止部材３２が係止する照明ユニット２９と照明カバー３１との距離は、ＬＥＤ３０から発する照明光により止め具５４の影が照明カバー３１上に形成されないように、予め決められている。
【００２４】
図２に示すように、後板１３の下端部には、前方Ｙ１に延びる底板５９が取付けられている。底板５９と下部断熱壁１２ｃとの間には、熱交換室Ｄ３が形成される。熱交換室Ｄ３は、後部ダクトＤ１に連通する。後板１３、天板１５、及び底板５９の間には、前方Ｙ１が開口する陳列空間Ｓ１が形成される。すなわち、ショーケース１において陳列空間Ｓ１が開口している方向が前方Ｙ１である。
後板１３には、上下方向Ｚに延びる支柱６１が取付けられている。この支柱６１には、図示はしないが、上下方向Ｚに間隔を空けて複数の連通孔が形成されている。支柱６１には、複数の陳列棚６２が着脱可能に取付けられている。陳列棚６２のフック６２ａを係合させる支柱６１の連通孔の位置を変えることで、支柱６１に対する陳列棚６２の上下方向Ｚの位置を変更させることができる。
複数の陳列棚６２は、陳列空間Ｓ１を上下方向Ｚに区画する。
【００２５】
断熱壁１２は、鉄板等で形成された基台６５で支持されている。底板５９の前端部と基台６５との間には、吸込口６６が形成されている。吸込口６６は、熱交換室Ｄ３に連通する。熱交換室Ｄ３は、仕切り板６７で仕切られている。仕切り板６７に形成された図示しない孔部には、送風機６８が取付けられている。
熱交換室Ｄ３と後部ダクトＤ１とが連通する部分には、冷却器６９が取付けられている。冷却器６９は、ショーケース１の外部に設けられた、圧縮機や凝縮器等を有する図示しない冷凍回路に接続されている。冷却器６９内には、冷凍回路により冷却された冷媒が流れる。
【００２６】
側板７６は、前方Ｙ１が開口するＣ字形に形成された仕切り板７７と、仕切り板７７の凹部に取付けられた窓部７８と、を有する。窓部７８は、ガラス等の透明な材料で形成されている。
窓部７８を通して、陳列空間Ｓ１を左右方向Ｘから視認することができる。
【００２７】
ショーケース１は制御部８１を備えている。制御部８１には、前述のソケット３５のリード線３８及び送風機６８が接続されている。ＬＥＤ３０及び送風機６８は、制御部８１に制御される。
【００２８】
このように構成されたショーケース１を製造した後で、出荷用にショーケース１を梱包する。この際に、図３に示すように、ショーケース１を段ボールやバンド等の梱包材１０１で覆う。梱包材１０１により照明カバー３１が後方Ｙ２や下方Ｚ２に押圧される場合がある。係止部材３２は一体に形成されるとともに係止部材３２という１つの部材で照明ユニット２９及び照明カバー３１を保持し係止している。このため、照明ユニット２９と照明カバー３１との距離がより一定に保たれる。
【００２９】
なお、ショーケース１のＬＥＤ３０を交換するには、以下の工程を行う。
すなわち、照明カバー３１を支持板２２に取付けているネジ部材４４を取外す。係止部材３２の切欠き４８ａから照明カバー３１の凸部４３を外して、ショーケース１から照明カバー３１を取外す。リード線３８と制御部８１との接続を解除する。一対の係止部材３２の腕部４７、４８が左右方向Ｘに離間するように撓ませて、各係止部材３２の凹部４９内から照明ユニット２９の係合部３７を取外す。各支持部５５のＣ字形の開口を広げて、止め具５４からＬＥＤ３０を抜く。ＬＥＤ３０からソケット３５を取り外す。このソケット３５に、新しいＬＥＤ３０を取付ける。
これ以降は、前述とは逆の工程を行うことで、一対の係止部材３２及び止め具５４に照明ユニット２９を取付ける。
以上の工程により、ショーケース１のＬＥＤ３０が交換される。
【００３０】
次に、以上のように構成されたショーケース１の動作について説明する。
冷凍回路で冷やされた冷媒より、冷却器６９が冷却される。ショーケース１を起動すると、制御部８１は、リード線３８及びソケット３５を介してＬＥＤ３０に電力を供給し、ＬＥＤ３０を点灯させる。ＬＥＤ３０が発した照明光は、各陳列棚６２等に照射される。
制御部８１が送風機６８に電力を供給すると、送風機６８は、図２に示すように空気Ａ１を流す。この空気Ａ１は冷却器６９で冷却される。冷却された空気Ａ２の一部は、後部ダクトＤ１、上部ダクトＤ２、及び整流部材１６を通って下方Ｚ２に向かって流れる空気Ａ３となる。この空気Ａ３は、陳列空間Ｓ１内の空気が外部に流れ出るのを防止する。
【００３１】
空気Ａ３は、吸込口６６を通って熱交換室Ｄ３内に流れ込み、送風機６８により再び冷却器６９に向かって流れる。
後部ダクトＤ１内を流れる冷却された空気Ａ２の残部は、後板１３の吹出し口から前方Ｙ１に流れ、陳列空間Ｓ１内を冷却する。
【００３２】
以上説明したように、本実施形態の照明装置２８及びショーケース１によれば、係止部材３２は一体に形成されるとともに係止部材３２という１つの部材で照明ユニット２９及び照明カバー３１を係止している。このため、照明ユニット２９と照明カバー３１との距離を従来よりも一定に保つことができる。ＬＥＤ３０から発する照明光により止め具５４の影が照明カバー３１上に形成されないようになり、ショーケース１の品質を向上させることができる。
係止部材３２を一体に形成することで、照明装置２８の製造コストを低減させることができる。
ＬＥＤ３０はソケット３５の係合部３７に対して周方向における相対位置が固定され、係止部材３２は係合部３７において照明ユニット２９を係止する。このため、係止部材３２に対するＬＥＤ３０の中心軸Ｃ周りの向きを固定し、ＬＥＤ３０が発する照明光を陳列棚６２等の所望の場所を照射し続けることができる。
【００３３】
係止部材３２には切欠き４８ａが形成され、照明カバー３１の下端部に設けられた凸部４３が切欠き４８ａに係止されることで、係止部材３２が照明カバー３１を係止する。したがって、係止部材３２により、照明カバー３１の下端部の位置を保持することができる。
係止部材３２の凹部４９内に照明ユニット２９の係合部３７が配置されているため、この凹部４９を通して照明ユニット２９のリード線３８等を引き回しやすくなる。
【００３４】
なお、本実施形態では、照明カバー３１は照明ユニット２９を前方Ｙ１及び上方Ｚ１において覆うとした。しかし、照明カバー３１は照明ユニット２９を少なくとも前方Ｙ１において覆うとしてもよい。このように構成しても、ショーケース１の使用者が、照明ユニット２９の前方Ｙ１から照明ユニット２９に触れるのを抑制することができる。
係止部材３２の係止部が切欠き４８ａであり、照明カバー３１の被係止部が凸部４３であるとした。しかし、係止部及び被係止部の構成はこれに限られず、係止部が凸部であり、被係止部が凸部に係止される切欠きであってもよい。
【００３５】
照明具はＬＥＤ３０であるとしたが、照明具は蛍光灯であるとしてもよい。
ショーケース１の冷却器６９は、ショーケース１の外部に設けられた冷凍回路に接続されるとした。しかし、この冷凍回路をショーケース１に内蔵してもよい。
【００３６】
以上説明した少なくともひとつの実施形態によれば、係止部材３２を持つことにより、照明ユニット２９と照明カバー３１との距離をより一定に保つことができる。
【００３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３８】
１…ショーケース、２８…照明装置（ショーケース用照明装置）、２９…照明ユニット、３０…ＬＥＤ（照明具）、３１…照明カバー、３２…係止部材、３７…係合部（非円形部）、４３…凸部（被係止部）、４７…第一腕部、４８…第二腕部、４８ａ…切欠き（係止部）、４９…凹部、Ｘ…左右方向、Ｙ１…前方
【図１】
2017225577.tif 000003
【図２】
2017225577.tif 000004
【図３】
2017225577.tif 000005
【図４】
2017225577.tif 000006
【図５】
2017225577.tif 000007